(57)【特許請求の範囲】
【請求項１】
画像表示装置と、前記画像表示装置と接続される印刷装置とを備えた画像表示システムであって、
前記画像表示装置は、
画像を表示するための表示手段と、
前記表示手段に画像を表示するための所定のアプリケーションソフトが起動されたことに応答して、前記印刷装置の状態を検出するための検出手段と、
前記検出手段により前記印刷装置の状態が検出されたことに応答して、前記検出手段によって検出された前記印刷装置の状態に応じて、自機の設定を変更するための設定変更手段とを含み、
前記印刷装置は、前記画像表示装置に表示される画像を印刷するための印刷手段を含む、画像表示システム。
【請求項２】
前記表示手段は、画像を表示するための手段と、タッチによる描画操作を受付けて描画像を表示するための描画手段とを含み、
前記設定変更手段は、前記印刷装置の状態に応じて、前記描画手段によって描画される描画像の色設定を変更するための色設定変更手段を含む、請求項１に記載の画像表示システム。
【請求項３】
前記印刷装置は、２色で画像を印刷する２色プリントモードで動作することが可能であり、
前記色設定変更手段は、前記検出手段により２色プリントモードが検出されたことに応答して、前記描画手段によって描画される画像の色設定を２色に制限するための手段を含む、請求項２に記載の画像表示システム。
【請求項４】
前記画像表示装置は、複数の前記印刷装置を接続することが可能であって、接続された複数の前記印刷装置のうちの１つを、画像を印刷する印刷装置として選択するための選択手段をさらに含み、
前記検出手段は、前記選択手段による印刷装置の選択が変更されたことに応答して、変更により選択された前記印刷装置の状態を検出するための手段を含み、
前記表示手段は、前記検出するための手段によって検出された前記印刷装置の状態に応じて、表示されている画像の表示を変更して再表示するための手段を含む、請求項１に記載の画像表示システム。
【請求項５】
前記検出手段は、前記印刷装置に収容されている用紙の用紙サイズに関する情報を検出するための用紙サイズ検出手段を含み、
前記設定変更手段は、前記用紙サイズ検出手段によって検出された用紙サイズに関する情報に基づいて、画像の表示倍率の設定を変更するための表示倍率変更手段を含み、
前記表示手段は、前記表示倍率変更手段によって設定された表示倍率で画像を表示するための手段を含む、請求項１に記載の画像表示システム。
【請求項６】
前記表示手段は、前記検出手段によって検出された、前記印刷装置の状態に応じて、画像の表示形態を変更するための手段を含む、請求項１に記載の画像表示システム。
【請求項７】
画像を表示するための表示手段を含み、前記表示手段に表示された画像を、印刷装置を用いて印刷することが可能な画像表示装置であって、
前記表示手段に画像を表示するための所定のアプリケーションソフトが起動されたことに応答して、接続される印刷装置の状態を検出するための検出手段と、
前記検出手段により前記印刷装置の状態が検出されたことに応答して、前記検出手段によって検出された前記印刷装置の状態に応じて、自機の設定を変更するための設定変更手段とを含む、画像表示装置。
【発明の詳細な説明】
【技術分野】
【０００１】
本発明は、画像表示システム及び画像表示装置に関し、特に、表示される画像を印刷することが可能な画像表示システム及び画像表示装置に関する。
【背景技術】
【０００２】
近年、画像表示装置の１つとして電子黒板装置が普及しつつある。電子黒板は、例えば会議等で用いられる。電子黒板として、様々な構成のものが実用化されている。特によく利用されている電子黒板は、大型の表示画面を有する表示装置と、タッチパネル等の２次元における位置座標を検知する入力装置とを組合せたコンピュータシステムを含む。
【０００３】
一般的に、電子黒板装置は、表示面上においてペン等によって指定される位置座標を逐次読取り、読取った情報を元に入力の軌跡を表示装置に表示する。これによって、電子黒板装置は、手書き入力等、電子黒板としての機能を実現している。
【０００４】
電子黒板に表示される画像（表示内容）は、通常、接続される印刷装置によって印刷される。そのため、電子黒板のような画像表示装置では、印刷装置と組合せた画像表示システムとされることが多い。後掲の特許文献１は、電子黒板装置と印刷装置とを組合せた電子黒板システム（画像表示システム）を開示する。
【０００５】
特許文献１の電子黒板システムは筐体ユニットを備えており、印刷装置は筐体ユニットのプリンタ収納部に収納されている。これにより、システム全体の小型化・一体化が図られている。
【先行技術文献】
【特許文献】
【０００６】
【特許文献１】特開２０００−４３４８４号公報
【発明の概要】
【発明が解決しようとする課題】
【０００７】
電子黒板装置に接続される印刷装置は、カラー印刷及びモノクロ印刷等の種々の機能を有している。印刷装置によっては、２色のみの印刷を行なう２色プリント機能を有する場合もある。２色プリント機能を使用した場合、カラー印刷に比べて低コストで印刷ができ、モノクロ印刷に比べてインパクトのある印刷物が得られる。
【０００８】
しかし、特許文献１の電子黒板システムでは、印刷装置の種々の機能を使用する場合、印刷装置の設定に合わせて、電子黒板装置側の設定をユーザ自身が変更する必要がある。そのため、印刷装置の種々の機能を容易に使用することができないという不都合がある。
【０００９】
さらに、例えば印刷装置の一部のトナーがトナー切れをおこしているような場合、トナー切れによって一部の色が表示（印刷）できなくなる。そうした場合、電子黒板装置側の設定を２色プリント又はモノクロプリントに設定する必要があるが、この場合もユーザ自身が設定を変更する必要がある。
【００１０】
本発明は、上記のような課題を解決するためになされたものであり、本発明の１つの目的は、設定変更が容易で使い勝手のよい画像表示システム及び画像表示装置を提供することである。
【００１１】
本発明のもう１つの目的は、表示される画像をイメージ通りに印刷できる画像形成システム及び画像表示装置を提供することである。
【課題を解決するための手段】
【００１２】
上記目的を達成するために、本発明の第１の局面に係る画像表示システムは、画像表示装置と、当該画像表示装置と接続される印刷装置とを備えた画像表示システムである。画像表示装置は、画像を表示するための表示手段と、印刷装置の状態を検出するための検出手段と、検出手段によって検出された印刷装置の状態に応じて、自機の設定を変更するための設定変更手段とを含む。印刷装置は、画像表示装置に表示される画像を印刷するための印刷手段を含む。
【００１３】
画像表示装置は、印刷装置の状態を検出し、検出した印刷装置の状態に応じて、自機の設定を変更する。印刷装置側の設定に合わせて、ユーザ自身が画像表示装置の設定を変更する必要がないため、設定変更が容易である。加えて、印刷装置の種々の機能を容易に使用できる。さらに、画像表示装置側の設定を印刷装置側の設定に容易に合わせることができるので、画像表示装置に表示される画像をイメージ通りに印刷できる。例えば、印刷装置がモノクロ印刷に設定されている場合、画像表示装置の設定もモノクロ印刷に対応したモノクロ表示に設定される。
【００１４】
好ましくは、表示手段は、画像を表示するための手段と、タッチによる描画操作を受付けて描画像を表示するための描画手段とを含み、設定変更手段は、印刷装置の状態に応じて、描画手段によって描画される描画像の色設定を変更するための色設定変更手段を含む。
【００１５】
例えば、印刷装置がカラー印刷に設定されている場合は、描画像の色設定は、カラー印刷に対応した色設定とされ、印刷装置がモノクロ印刷に設定されている場合は、描画像の色設定は、モノクロ印刷に対応した色設定とされる。カラー印刷に対応した色設定では、ユーザは所望の色で描画を行なうことができ、モノクロ印刷に対応した色設定では、描画の色は黒色に制限される。画像表示装置に表示される画像（描画像）をイメージ通りに印刷できる。さらに、印刷装置が２色印刷（２色プリント）に設定されている場合は、描画像の色設定は、２色プリントに対応した色設定とされる。そのため、容易に、画像表示装置側の設定を２色プリントに合わせた設定とすることができる。
【００１６】
より好ましくは、印刷装置は、２色で画像を印刷する２色プリントモードで動作することが可能であり、色設定変更手段は、検出手段により２色プリントモードが検出されたことに応答して、描画手段によって描画される画像の色設定を２色に制限するための手段を含む。
【００１７】
２色プリントモードが検出されたことに応答して、描画手段によって描画される画像の色設定を２色プリントモードに対応した２色に制限する。印刷装置が２色プリントに設定されている場合、対応する２色以外の色での印刷は、印刷画像が非常に見にくくなる、若しくは、印刷がされなくなる。描画される画像の色設定を２色プリントモードに対応した２色に制限することにより、画像表示装置に表示される画像をイメージ通りに印刷できる。
【００１８】
さらに好ましくは、画像表示装置は、複数の印刷装置を接続することが可能であって、接続された複数の印刷装置のうちの１つを、画像を印刷する印刷装置として選択するための選択手段をさらに含み、検出手段は、選択手段による印刷装置の選択が変更されたことに応答して、変更により選択された印刷装置の状態を検出するための手段を含み、表示手段は、検出するための手段によって検出された印刷装置の状態に応じて、表示されている画像の表示を変更して再表示するための手段を含む。
【００１９】
例えば、画像表示装置を用いて画像を表示した後に印刷装置の選択を変更した場合、画像表示装置は、変更により選択された印刷装置の状態を検出する。印刷装置の状態を検出すると、検出した状態に応じて表示されている画像の表示を変更する。これにより、例えば画像表示装置の使用途中に印刷装置の選択を変更した場合、変更により選択された印刷装置の状態を画像表示装置の表示に適切に反映できる。
【００２０】
さらに好ましくは、検出手段は、印刷装置に収容されている用紙の用紙サイズに関する情報を検出するための用紙サイズ検出手段を含み、設定変更手段は、用紙サイズ検出手段によって検出された用紙サイズに関する情報に基づいて、画像の表示倍率の設定を変更するための表示倍率変更手段を含み、表示手段は、表示倍率変更手段によって設定された表示倍率で画像を表示するための手段を含む。これにより、印刷装置で印刷可能な用紙の用紙サイズを、表示する画像の表示倍率に反映できる。例えば、画像を原寸表示することができる。画像を原寸表示することにより、表示されたとおりのサイズで印刷物を得ることもできる。
【００２１】
さらに好ましくは、表示手段は、検出手段によって検出された印刷装置の状態に応じて、画像の表示形態を変更するための手段を含む。これにより、印刷装置の状態を反映した画像の表示を行なうことができる。例えば、印刷イメージと一致した画像の表示を行なうことができる。
【００２２】
さらに好ましくは、印刷装置は、複数の色のトナーを用いてカラー印刷を行なうことが可能であり、検出手段は、印刷装置のトナー切れを検出するための手段を含み、制限するための手段は、検出するための手段が一部の色のトナーがトナー切れであることを検出したことに応答して、描画される描画像の色設定を、トナー切れによって印刷できない色以外の色を含む２色に制限するための手段を含む。
【００２３】
印刷装置の一部の色のトナーがトナー切れである場合、画像表示装置の描画像の色設定が、残りのトナーで印刷できる設定に自動で変更される。そのため、トナー切れの都度、設定を変更する必要がないため、使い勝手が向上する。
【００２４】
さらに好ましくは、印刷装置は、複数の色のトナーを用いてカラー印刷を行なうことが可能であり、検出手段は、印刷装置のトナー切れを検出するための手段を含み、設定変更手段は、検出するための手段が一部の色のトナーがトナー切れであることを検出したことに応答して、画像を表示する色の設定及び画像の印刷設定を変更するための手段を含む。
【００２５】
印刷装置の一部の色のトナーがトナー切れとなることによって、印刷装置が２色印刷又はモノクロ印刷のみ実行可能となった場合に、画像を表示する色の設定及び画像の印刷設定が２色印刷又はモノクロ印刷に対応した設定に自動で変更される。ユーザ自身が画像表示装置の設定を変更する必要がないため、設定変更が容易である。加えて、トナー切れの色で印刷されることによって、画像の一部がかすれたり、画像の一部が印刷されなかったりすることを防止できる。
【００２６】
さらに好ましくは、画像表示装置は、画像データを受信するための受信手段と、受信手段が受信した画像データが示す画像を表示するための手段とをさらに含み、設定変更手段は、印刷装置の状態に応じて、画像データが示す画像の色設定を変更するための色設定変更手段を含む。
【００２７】
接続される印刷装置の状態に応じて、画像データが示す画像の色設定を変更することにより、印刷時に、画像データが示す画像の一部がかすれたり、画像の一部が印刷されなかったりすることを効果的に防止できる。
【００２８】
この場合において、好ましくは、印刷装置は、２色で画像を印刷する２色プリントモードで動作することが可能であり、色設定変更手段は、検出手段により２色プリントモードが検出されたことに応答して、画像データが示す画像の色設定をモノクロ設定に変更するための手段を含む。
【００２９】
２色プリントでは、黒色及び黒色以外の１色で印刷されることが多い。印刷装置が２色プリントモードに設定されている場合に、画像データが示す画像の色設定をモノクロ設定に変更することにより、印刷時に、画像データが示す画像の一部がかすれたり、画像の一部が印刷されなかったりすることをより効果的に防止できる。
【００３０】
さらに好ましくは、検出手段は、印刷装置のトナー切れを検出するための手段を含み、設定変更手段は、トナー切れが検出されたことに応答して、印刷を実行する印刷装置を他の印刷装置に変更するための手段を含む。
【００３１】
印刷を実行する印刷装置のトナー切れを検出すると、印刷を実行する印刷装置を他の印刷装置に自動で変更する。これにより、ユーザ自身が設定を変更することなく、正常な印刷装置を用いて印刷を実行できる。
【００３２】
本発明の第２の局面に係る画像表示装置は、画像を表示するための表示手段を含み、表示手段に表示された画像を、印刷装置を用いて印刷することが可能な画像表示装置である。この画像表示装置は、接続される印刷装置の状態を検出するための検出手段と、検出手段によって検出された印刷装置の状態に応じて、自機の設定を変更するための設定変更手段とを含む。
【００３３】
画像表示装置は、印刷装置の状態を検出し、検出した印刷装置の状態に応じて、自機の設定を変更する。印刷装置側の設定に合わせて、ユーザ自身が画像表示装置の設定を変更する必要がないため、設定変更が容易である。加えて、印刷装置の種々の機能を容易に使用できる。さらに、画像表示装置側の設定を印刷装置側の設定に容易に合わせることができるので、画像表示装置に表示される画像をイメージ通りに印刷できる。例えば、印刷装置がモノクロ印刷に設定されている場合、画像表示装置の設定もモノクロ印刷に対応したモノクロ表示に設定される。
【００３４】
好ましくは、表示手段は、画像を表示するための手段と、タッチによる描画操作を受付けて描画像を表示するための描画手段とを含み、設定変更手段は、印刷装置の状態に応じて、描画手段によって描画される描画像の色設定を変更するための色設定変更手段を含む。
【００３５】
例えば、印刷装置がカラー印刷に設定されている場合は、描画像の色設定は、カラー印刷に対応した色設定とされ、印刷装置がモノクロ印刷に設定されている場合は、描画像の色設定は、モノクロ印刷に対応した色設定とされる。カラー印刷に対応した色設定では、ユーザは所望の色で描画を行なうことができ、モノクロ印刷に対応した色設定では、描画の色は黒色に制限される。画像表示装置に表示される画像（描画像）をイメージ通りに印刷できる。さらに、印刷装置が２色印刷（２色プリント）に設定されている場合は、描画像の色設定は、２色プリントに対応した色設定とされる。そのため、容易に、画像表示装置側の設定を２色プリントに合わせた設定とすることができる。
【００３６】
より好ましくは、検出手段は、印刷装置のトナー切れを検出するための手段を含み、設定変更手段は、トナー切れが検出されたことに応答して、印刷を実行する印刷装置を他の印刷装置に変更するための手段を含む。
【００３７】
印刷を実行する印刷装置のトナー切れを検出すると、印刷を実行する印刷装置を他の印刷装置に自動で変更する。これにより、ユーザ自身が設定を変更することなく、正常な印刷装置を用いて印刷を実行できる。
【００３８】
さらに好ましくは、画像表示装置は、画像データを受信するための受信手段と、受信手段が受信した画像データが示す画像を表示するための手段とをさらに含み、設定変更手段は、接続される印刷装置の状態に応じて、画像データが示す画像の色設定を変更するための色設定変更手段を含む。
【００３９】
接続される印刷装置の状態に応じて、画像データが示す画像の色設定を変更することにより、印刷時に、画像データが示す画像の一部がかすれたり、画像の一部が印刷されなかったりすることを効果的に防止できる。
【発明の効果】
【００４０】
以上より、本発明によれば、設定変更が容易で使い勝手のよい画像表示システム及び画像表示装置を容易に得ることができる。
【００４１】
また本発明によれば、表示される画像をイメージ通りに印刷できる画像形成システム及び画像表示装置を容易に得ることができる。
【図面の簡単な説明】
【００４２】
【図１】本発明の第１の実施の形態に係る画像表示システムの全体構成を示す図である。
【図２】図１の電子黒板装置のハードウェア構成を示す制御ブロック図である。
【図３】電子黒板装置における描画位置の検出方法の一例を示す図である。
【図４】電子黒板装置における入力検知装置の概略構成を示すブロック図である。
【図５】図１に示す電子黒板装置の表示画面の概略構成を示す図である。
【図６】図１の印刷装置のハードウェア構成を示す制御ブロック図である。
【図７】図１の電子黒板装置で実行されるプログラムの制御構造を示すフローチャートである。
【図８】本発明の第２の実施の形態に係る画像表示システムにおける電子黒板装置で実行されるプログラムの制御構造を示すフローチャートである。
【図９】本発明の第３の実施の形態に係る画像表示システムにおける電子黒板装置で実行されるプログラムの制御構造を示すフローチャートである。
【図１０】図９のステップＳ３０２０の詳細なフローである。
【図１１】本発明の第４の実施の形態に係る画像表示システムにおける電子黒板装置で実行されるプログラムの制御構造を示すフローチャートである。
【図１２】本発明の第５の実施の形態に係る画像表示システムにおける電子黒板装置で実行されるプログラムの制御構造を示すフローチャートである。
【図１３】本発明の第６の実施の形態に係る画像表示システムにおける電子黒板装置で実行されるプログラムの制御構造を示すフローチャートである。
【図１４】本発明の第６の実施の形態に係る画像表示システムにおける電子黒板装置で実行されるプログラムの制御構造を示すフローチャートである。
【図１５】本発明の第７の実施の形態に係る画像表示システムにおける電子黒板装置で実行されるプログラムの制御構造を示すフローチャートである。
【図１６】本発明の第７の実施の形態に係る画像表示システムにおける電子黒板装置で実行されるプログラムの制御構造を示すフローチャートである。
【図１７】本発明の第８の実施の形態に係る画像表示システムにおける電子黒板装置で実行されるプログラムの制御構造を示すフローチャートである。
【図１８】本発明の第９の実施の形態に係る画像表示システムにおける電子黒板装置で実行されるプログラムの制御構造を示すフローチャートである。
【発明を実施するための形態】
【００４３】
以下の実施の形態では、同一の部品には同一の参照番号を付してある。それらの機能及び名称も同一である。したがって、それらについての詳細な説明は繰返さない。
【００４４】
（第１の実施の形態）
図１を参照して、本発明の第１の実施の形態に係る画像表示システム１００は、画像表示装置の１種である電子黒板装置２００と、印刷装置３００とを含む。電子黒板装置２００及び印刷装置３００は、ＬＡＮ（Ｌｏｃａｌ  Ａｒｅａ  Ｎｅｔｗｏｒｋ）回線等からなるネットワーク４００を介して互いに接続され、画像データを含む各種データを相互に送受できる。印刷装置３００は、電子黒板装置２００の表示内容を印刷する。
【００４５】
［ハードウェア構成］
《電子黒板装置》
図２を参照して、電子黒板装置２００は、大画面のタッチパネルディスプレイ２１０と、コンピュータからなる制御装置２５０とを含む。
【００４６】
制御装置２５０は、所定のプログラムを実行することにより、電子黒板装置２００の全体の制御を実現するための中央演算処理装置（ＣＰＵ）２５２と、電子黒板装置２００の電源が投入されたときにＣＰＵ２５２が読出すプログラムを記憶する読出専用メモリ（ＲＯＭ）２５４と、ＣＰＵ２５２が作業用メモリとして使用するランダム・アクセス・メモリ（ＲＡＭ）２５６と、電子黒板装置２００の電源が切断されたときに記録を保持することが可能な記録部２５８と、タッチパネルディスプレイ２１０（後述する入力検知装置２３０）から得た情報（座標データ）をもとに、処理内容を決定する入力処理部２６０と、ＣＰＵ２５２の制御にしたがってタッチパネルディスプレイ２１０による画像の表示を制御する表示制御部２６２と、タッチパネルディスプレイ２１０に表示させる画像を保持するビデオメモリ（ビデオＲＡＭ）２６４と、電子黒板装置２００に対してネットワーク４００との接続を提供するネットワーク装置２６６と、これらを互いに接続し、相互の間のデータ及び制御信号の通信を可能にするバス２６８とを含む。
【００４７】
ＲＯＭ２５４は、電子黒板装置２００の電源投入時にＣＰＵ２５２が実行し、電子黒板装置２００が所定の動作をするように電子黒板装置２００の全体を設定するためのプログラム及びデータを記憶している。電子黒板装置２００の動作を実現するためのプログラムもＲＯＭ２５４に記憶されている。記録部２５８は、通電が遮断された場合にもデータを保持する不揮発性記憶装置であり、例えば、ハードディスクドライブ又はフラッシュメモリ等である。記録部２５８は電子黒板装置２００に対して着脱可能でもよい。記録部２５８は、ＣＰＵ２５２が実行するプログラムの一部を記憶することもできる。ＣＰＵ２５２は、通常動作時には、バス２６８を介してＲＯＭ２５４又は記録部２５８からプログラムをＲＡＭ２５６上にロードし、図示しないプログラムカウンタにより指定されるアドレスから命令を順次読出して実行する。ＣＰＵ２５２は、ＲＯＭ２５４及び記録部２５８に格納されているプログラムにしたがって電子黒板装置２００を構成する各部の制御を行なう。
【００４８】
ネットワーク装置２６６は、ＣＰＵ２５２の制御の下で、ネットワーク４００に接続された印刷装置３００等との間で画像データを送受信する。ネットワーク装置２６６を介して電子黒板装置２００が外部から受信した画像データは、ＲＡＭ２５６又は記録部２５８に記録される。
【００４９】
タッチパネルディスプレイ２１０は、所定の表示面上に画像を表示する表示部２２２を含む表示出力装置２２０と、表示部２２２の画像の表示面のどの位置がユーザによりタッチされたかを所定時間ごとに検出し、その位置の位置座標を制御装置２５０に対して出力する入力検知装置２３０とを含む。入力検知装置２３０は、タッチがあったことを検出し、検出があったことを示す信号を出力する機能と、そのときのタッチ位置を示す座標データを出力する機能とを持つ。
【００５０】
表示部２２２はフルカラー表示が可能な液晶表示パネル等の表示パネルであり、表示制御部２６２の制御の下で表示面上に、ビデオＲＡＭ２６４に記憶された画像を表示する。表示制御部２６２は、表示部２２２を駆動するための駆動部を備え、ビデオＲＡＭ２６４に記憶された画像データを所定のタイミングで読出し、表示部２２２に画像を表示させるための信号を表示部２２２に出力する。表示される画像データは、ＣＰＵ２５２がＲＡＭ２５６上の情報及び記録部２５８に記録された情報から生成し、ビデオＲＡＭ２６４上の各表示画素に対応するアドレスに伝送する。
【００５１】
入力検知装置２３０は、ユーザによるタッチ操作を検出する接触感知部２３２と、接触感知部２３２を制御するマイクロコンピュータ２３４とを含む。マイクロコンピュータ２３４は、ＣＰＵ２３４ａと、接触感知部２３２で検出した情報（座標データ）を外部（入力処理部２６０）に出力する外部出力部２３４ｂとを含む。
【００５２】
図３を参照して、本実施の形態では、入力検知装置２３０は、赤外線遮断検出方式である。接触感知部２３２は、長方形の書込面を持つ。接触感知部２３２はさらに、この書込面の隣接する２辺にそれぞれ一列に配置された発光ダイオード（ＬＥＤ）列２４０、２４２と、それぞれＬＥＤ列２４０、２４２に対向して一列に配置された２つのフォトダイオード（ＰＤ）列２４４、２４６とを含む。ＬＥＤ列２４０、２４２の各ＬＥＤは赤外線を発光し、この赤外線を、対向するＰＤ列２４４、２４６の各ＰＤが検出する。図３において、ＬＥＤ列２４０、２４２の各ＬＥＤから赤外線を上向き及び左向きの矢印で示す。
【００５３】
図４を参照して、マイクロコンピュータ２３４は各ＬＥＤの発光を制御する。ＰＤ列２４４、２４６内の各ＰＤは、受光した光の強度に応じた電圧を出力する。ＰＤの出力電圧は、アンプによって増幅される。ＰＤ列２４４、２４６の複数のＰＤからは同時に信号が出力されるので、出力信号はバッファ２１６に一旦保存された後、ＰＤの配列順序に応じたシリアル信号として出力され、マイクロコンピュータ２３４に伝送される。具体的には、例えばＣＰＵ２３４ａがＬＥＤを１つ光らせると、光らせたＬＥＤに対向するＰＤ及びその両隣のＰＤの電圧が出力され、アンプによって増幅される。増幅された出力信号は、セレクタ２１２、２１４によって順にバッファ２１６に入力され、バッファ２１６に一旦保存される。
【００５４】
マイクロコンピュータ２３４はさらに、信号を増幅するアンプ２３４ｃと、アンプ２３４ｃによって増幅された信号を、水平センサ信号及び垂直センサ信号に分けてＣＰＵ２３４ａに出力するセレクタ２３４ｄとを含む。マイクロコンピュータ２３４に伝送された信号は、アンプ２３４ｃで増幅され、セレクタ２３４ｄを介してＣＰＵ２３４ａに入力される。ＣＰＵ２３４ａは、セレクタ２３４ｄから受信した水平センサ信号及び垂直センサ信号を処理することにより、座標を検出する。
【００５５】
再び図３を参照して、ユーザがタッチペン５００で入力検知装置２３０のタッチ面上の１点にタッチすると、タッチペン５００のペン先によって赤外線が遮断される。したがって、遮断される前まで、その赤外線を受光していたＰＤの出力電圧は低下する。すなわち、タッチされた位置（ＸＹ座標）に対応するＰＤからの信号電圧が低下する。マイクロコンピュータ２３４は、受信した２つのシリアル信号の信号レベルが低下している部分を検出し、タッチされた位置の位置座標を求める。マイクロコンピュータ２３４は、決定された位置座標をＣＰＵ２５２に伝送する。このタッチ位置を検出する処理は、所定の検出周期で繰返されるので、同じ点が検出周期よりも長い時間タッチされていると、同じ座標データが繰返し出力される。ユーザがペン５００をタッチパネルに接触させたまま移動させると、その位置が所定時間ごとに検出される。すなわち、この場合、所定の検出周期で位置座標が少しずつ変化して検出されることになる。ペン５００を使用せずに、指で入力検知装置２３０にタッチしても、同様にタッチされた位置を検出できる。
【００５６】
上記したタッチされた位置の検出技術は公知であるので、これ以上の説明は繰返さない。また、入力検知装置２３０には、赤外線遮断方式以外のタッチパネル（静電容量方式、表面弾性波方式、抵抗膜方式等）を用いてもよい。なお、静電容量方式では、センサに近接していれば非接触でも位置を検出できる。
【００５７】
電子黒板装置２００は、種々のアプリケーションソフトを起動することが可能であり、起動したアプリケーションソフトに対応した機能を実現する。アプリケーションソフトは、電子黒板装置２００の主要な機能である、タッチペン５００による描画を実現するペンソフトを含む。
【００５８】
ペンソフトが起動されると、表示部２２２には、図５に示すような画面６００が表示される。タッチパネルディスプレイ２１０の表示面は、ユーザによる描画が可能な描画領域６１０と、ユーザが利用する機能を指定するための機能ボタン領域６２０とに区分されている。描画領域６１０には、ユーザがタッチ操作によって描画できる。タッチされた点のＸＹ座標が、入力検知装置２３０により所定の周期ごとに検出され、制御装置２５０に伝送される。制御装置２５０（ＣＰＵ２５２）は、受信した座標データに応じて、ビデオＲＡＭ２６４に対応してＲＡＭ２５６に設けられた領域上の、検出された位置に対応するメモリアドレスに所定値を書込む。ビデオＲＡＭ２６４上にこれら検出された画像データを記録してもよいが、ここでは、ビデオＲＡＭ２６４の画像データを記憶する領域とは別に、ＲＡＭ２５６に、描画データを記憶する領域が設けられていることを想定する。
【００５９】
機能ボタン領域６２０には、複数の機能ボタンが表示されている。機能ボタンに割当てられる機能は、例えば、タッチ操作による描画機能（ペンの種類を選択可能）、保存されているファイル（画像データ）を開く機能、所定領域の描画を削除する消しゴム機能、表示されている画像データを保存する機能、表示されている画像データを印刷する機能等である。各機能ボタンは、アイコンとして表示される。例えば、ペンボタン６２２〜６２６のいずれかを選択することにより、描画領域６１０に描画を行なうことが可能となる。選択しているペンボタンを再度タッチすると、描画の線の太さ及び線の色を変更するパレットが表示される。パレット内に表示される線の太さ及び色を選択することにより、描画する線の太さ及び線の色が変更される。
【００６０】
ペンソフトでは、受信した画像データが示す画像を描画領域６１０に表示することが可能であり、表示された画像に描画することも可能である。
【００６１】
《印刷装置》
図６を参照して、印刷装置３００は、バス３９０と、バス３９０に接続されたＣＰＵ３１０と、バス３９０に接続されたＲＯＭ３２０と、バス３９０に接続されたＲＡＭ３３０と、バス３９０に接続された記録部３４０と、バス３９０に接続され、電子黒板装置２００から出力された画像データをもとに処理内容を決定する入力処理部３５０と、バス３９０に接続され、受信した画像データの印刷物を出力するために印刷内容を制御する印刷制御部３６０と、バス３９０に接続され、画像データによって示される画像を記録用紙に印刷する印刷部３７０と、バス３９０に接続され、有線又は無線（本実施の形態においては有線）によりネットワーク４００への接続を提供するネットワーク装置３８０とを含む。
【００６２】
バス３９０、ＲＯＭ３２０、ＲＡＭ３３０、記録部３４０、入力処理部３５０、印刷制御部３６０、印刷部３７０及びネットワーク装置３８０は、いずれもＣＰＵ３１０の制御のもとに協調して動作し、印刷装置３００において、プリント処理等の各種処理及びアプリケーションによる処理を実現する。
【００６３】
記録部３４０はＨＤＤ（図示せず）を含む。ＨＤＤには、印刷装置３００の一般的な動作を実現するためのコンピュータプログラムが記憶される。記録部３４０はまた、印刷装置３００が受信した画像データを記憶する。
【００６４】
本実施の形態では、印刷装置３００は、フルカラーモード、モノクロモード及び２色プリントモードでの印刷が可能であり、各モードは、印刷装置３００において予め設定される。２色プリントモードは、黒色及び黒色以外の色の２色で画像データを印刷するモードであり、黒色以外の色はユーザにより予め設定される。
【００６５】
［ソフトウェア構成］
図７を参照して、ペンソフトで作成された画像を印刷装置３００で印刷するために、電子黒板装置２００で実行されるコンピュータプログラムの制御構造について説明する。このプログラムは、ペンソフトの起動によって起動する。
【００６６】
このプログラムは、使用する印刷装置３００の情報を取得するステップＳ１０００を含む。ステップＳ１０００では、印刷装置３００に問合せを行ない、印刷装置３００の状態に関する情報を取得する。本実施の形態では、印刷装置３００の設定情報を取得することにより、印刷装置３００が、モードフルカラーモード、モノクロモード及び２色プリントモードのいずれのモードに設定されているかを検出する。
【００６７】
このプログラムはさらに、ステップＳ１０００の後に実行され、印刷装置３００が２色プリントモードに設定されているか否かを判定し、判定結果に応じて制御の流れを分岐させるステップＳ１０１０と、ステップＳ１０１０において、印刷装置３００が２色プリントモードに設定されていると判定された場合に、タッチペン５００の色選択（選択可能な描画の色）を２色プリントモードで印刷することが可能な２色に制限し、画像データの取込みをモノクロ（グレースケール）に制限するステップＳ１０２０と、ステップＳ１０２０において、印刷装置３００が２色プリントモードに設定されていないと判定された場合に、印刷装置３００がモノクロモードに設定されているか否かを判定し、判定結果に応じて制御の流れを分岐させるステップＳ１０３０と、ステップＳ１０３０において、印刷装置３００がモノクロモードに設定されていると判定された場合に、タッチペン５００の色選択（選択可能な描画の色）を黒色に制限するとともに、画像データの取込みをモノクロ（グレースケール）に制限するステップＳ１０４０とを含む。
【００６８】
ステップＳ１０２０及びステップＳ１０４０では、画像データが示す画像の色設定をモノクロ設定に変更する。
【００６９】
このプログラムはさらに、ステップＳ１０３０において、印刷装置３００がモノクロモードに設定されていないと判定された場合、並びに、ステップＳ１０２０及びステップＳ１０４０の後に実行され、ペンソフトの終了操作がされたか否かを判定し、判定結果に応じて制御の流れを分岐させるステップＳ１０５０と、ステップＳ１０５０において、終了操作がされていないと判定された場合に、印刷の指示がされたか否かを判定し、判定結果に応じて制御の流れを分岐させるステップＳ１０６０と、ステップＳ１０６０において、印刷の指示がされたと判定された場合に、電子黒板装置２００に表示されている画像の画像データを印刷装置３００に送信するステップＳ１０７０とを含む。
【００７０】
ステップＳ１０６０において、印刷の指示がされていないと判定された場合、及び、ステップＳ１０７０の処理が終了すると、制御はステップＳ１０００に戻る。ステップＳ１０５０において、ペンソフトの終了操作がされたと判定された場合は、このプログラムは終了する。
【００７１】
［動作］
図７を参照して、以上のような構造及びフローチャートに基づく、本実施の形態に係る画像表示システム１００の動作について説明する。なお、２色プリントモードでは、黒色及び赤色の２色が設定されているものとする。
【００７２】
電子黒板装置２００は、フルカラー表示が可能である。電子黒板装置２００にフルカラーで画像が表示されている場合、表示内容はフルカラー印刷されるのが好ましい。しかし、省資源等の観点から、印刷装置３００の印刷モードを２色プリントモードに設定する場合がある。
【００７３】
電子黒板装置２００において、ペンソフトが起動すると、使用する印刷装置３００の情報を取得（図７に示すステップＳ１０００）し、印刷装置３００がいずれの印刷モードに設定されているかを検知する。印刷装置３００が２色プリントモードに設定されている場合（ステップＳ１０１０においてＹＥＳ）、電子黒板装置２００はペンソフトの設定を２色プリントモードに適した設定に変更する（ステップＳ１０２０）。具体的には、タッチペン５００の色選択を黒色及び赤色の２色に制限する。画像データの画像を表示する場合は、画像がグレースケールで表示されるように、画像データの取込みをグレースケールに制限する。そのため、電子黒板装置２００に表示される画像は、黒色及び赤色の２色表示となる。
【００７４】
印刷装置３００がモノクロモードに設定されている場合（ステップＳ１０３０においてＹＥＳ）、電子黒板装置２００はペンソフトの設定をモノクロモードに適した設定に変更する（ステップＳ１０４０）。具体的には、タッチペン５００の色選択を黒色１色に制限する。画像データの画像を表示する場合は、グレースケールで表示されるように、画像データの取込みをグレースケールに制限する。そのため、電子黒板装置２００に表示される画像は、モノクロ表示となる。
【００７５】
印刷装置３００の設定が２色プリントモード及びモノクロモードのいずれでもない場合（ステップＳ１０３０においてＮＯ）は、印刷装置３００の設定はフルカラーモードであるため、タッチペン５００の色選択及び画像データの取込みの制限は行なわない。すなわち、印刷装置３００の設定がフルカラーモードの場合は、ペンソフトの設定は変更されず、通常の状態でペンソフトが動作する。
【００７６】
電子黒板装置２００の表示内容を印刷する場合、表示されている画像の画像データが印刷装置３００に送信されて印刷が実行される（ステップＳ１０７０）。電子黒板装置２００に表示される画像が２色表示の場合、２色表示画像の画像データが印刷装置３００に送信される。電子黒板装置２００に表示される画像がモノクロ表示（グレースケール表示）の場合、モノクロ画像の画像データが印刷装置３００に送信される。電子黒板装置２００に表示される画像がフルカラー表示の場合、フルカラー画像の画像データが印刷装置３００に送信される。したがって、印刷装置３００の設定に応じた画像データが印刷装置３００に送信され、その設定に適した印刷が実行される。
【００７７】
［本実施の形態の効果］
以上の説明から明らかなように、本実施の形態に係る画像表示システム１００を利用することにより、以下に述べる効果を奏する。
【００７８】
電子黒板装置２００は、印刷装置３００の状態（印刷設定）を検出し、検出した印刷装置３００の印刷設定に応じて、自機の設定を変更する。印刷装置３００側の設定に合わせて、ユーザ自身が電子黒板装置２００の設定を変更する必要がないため、設定変更が容易である。加えて、印刷装置３００の種々の機能を容易に使用できる。さらに、電子黒板装置２００側の設定を印刷装置３００側の設定に容易に合わせることができるので、電子黒板装置２００に表示される画像をイメージ通りに印刷できる。例えば、印刷装置３００がモノクロモードに設定されている場合、電子黒板装置２００の設定もモノクロモードに対応したモノクロ表示に設定される。
【００７９】
印刷装置３００の印刷設定は、フルカラーモードであるのが好ましいが、印刷コスト及び省資源等の観点から、２色プリントモードに設定される場合がある。２色プリントモードでは、フルカラーモードに比べて低コストで印刷でき、モノクロ印刷に比べてインパクトのある印刷物が得られる。印刷装置３００が課金タイプの場合、２色プリントモードでの印刷は、フルカラーモードの印刷に比べて印刷料金が低い。
【００８０】
印刷装置３００が２色プリントモードに設定されていると、タッチペン５００による色選択を２色プリントモードに対応した２色に制限する。２色プリントモードに対応する２色以外の色での印刷は、印刷画像が非常に見にくくなる、若しくは、印刷がされなくなる。描画される画像（タッチペン５００による描画）の色設定を２色プリントモードに対応した２色に制限することにより、電子黒板装置２００に表示される画像を見にくくなるのを防止して、イメージ通りに印刷できる。加えて、電子黒板装置２００側の設定をユーザ自身が行なう必要がないため、電子黒板装置２００側の設定を２色プリントに合わせた設定とすることができる。そのため、設定変更の手間が省かれ、使い勝手が向上する。
【００８１】
さらに、電子黒板装置２００側で、印刷装置３００の動作設定（２色プリントモード）を識別して、ペンソフト（アプリケーションソフト）側の動作モードを２色表示モードに変更するため、容易に安価な印刷方法での動作モードに設定できる。
【００８２】
２色プリントでは、黒色及び黒色以外の１色で印刷されることが多い。印刷装置３００が２色プリントモードに設定されている場合に、画像データが示す画像の色設定をモノクロ設定に変更することにより、印刷時に、画像データが示す画像の一部がかすれたり、画像の一部が印刷されなかったりすることをより効果的に防止できる。
【００８３】
なお、印刷装置３００がモノクロモードに設定されている場合は、タッチペン５００による描画像の色設定は、モノクロ印刷に対応した色設定とされる。さらに、印刷装置３００がフルカラーモードに設定されている場合は、タッチペン５００による描画像の色設定は、フルカラー印刷に対応した色設定とされる。カラー印刷に対応した色設定では、ユーザは所望の色で描画を行なうことができる。
【００８４】
したがって、本実施の形態に係る画像表示システム１００は、設定変更が容易で使い勝手を向上できる。また、設定の手間を省きつつ、表示内容を見やすい状態で（イメージ通りに）印刷できる。
【００８５】
（第２の実施の形態）
第１の実施の形態では、電子黒板装置２００が、印刷装置３００の印刷モードの設定情報を取得し、取得した情報に応じてペンソフトの設定を変更した。本実施の形態では、電子黒板装置は、印刷装置の印刷モードの設定情報に加えて、印刷装置のトナー切れ情報を取得する。具体的には、電子黒板装置は、印刷装置の印刷モードが２色プリントモードに設定されているか否かを検出するとともに、使用する印刷装置において、一部の色のトナーがトナー切れであるか否かを検出する。電子黒板装置は、取得した情報に応じて自機の設定（ペンソフトの設定）を変更する。
【００８６】
本実施の形態に係る画像表示システムを構成する電子黒板装置及び印刷装置は、上記第１の実施の形態における電子黒板装置２００及び印刷装置３００と同様のハードウェア構成を有する。そのため、電子黒板装置及び印刷装置のハードウェア構成についての説明は繰返さない。
【００８７】
［ソフトウェア構成］
図８を参照して、本実施の形態において、ペンソフトで作成された画像を印刷装置で印刷するために、電子黒板装置で実行されるコンピュータプログラムの制御構造について説明する。なお、図８のステップＳ１０１０及びステップＳ１０５０〜ステップＳ１０７０は上記した第１の実施の形態と同様の構造であるので、ここでは繰返さない。
【００８８】
このプログラムは、ペンソフトの起動によって起動する。このプログラムは、使用する印刷装置の情報を取得するステップＳ２０００を含む。ステップＳ２０００では、印刷装置に問合せを行ない、印刷装置の状態に関する情報を取得する。本実施の形態では、印刷装置の設定情報を取得することにより、印刷装置が、２色プリントモードに設定されているか否かを検出する。さらに、印刷装置がトナー切れ（一部の色のトナーがトナー切れ）であるか否かを検出する。
【００８９】
このプログラムはさらに、ステップＳ１０１０において、印刷装置が２色プリントモードに設定されていると判定された場合に、一部の色のトナーがトナー切れであるか否かを判定し、判定結果に応じて制御の流れを分岐させるステップＳ２０１０と、ステップＳ２０１０において、一部の色のトナーがトナー切れであると判定された場合に、タッチペン５００の色選択（選択可能な描画の色）を印刷可能な２色に制限し、画像データの取込みをモノクロ（グレースケール）に制限するステップＳ２０２０と、ステップＳ２０１０において、印刷装置の全ての色のトナーがトナー切れではないと判定された場合に、タッチペン５００の色選択（選択可能な描画の色）を２色プリントモードで印刷することが可能な２色に制限し、画像データの取込みをモノクロ（グレースケール）に制限するステップＳ２０３０とを含む。
【００９０】
ステップＳ２０２０及びステップＳ２０３０において、所定の処理が実行されると、制御はステップＳ１０５０に進む。
【００９１】
［動作］
図８を参照して、本実施の形態に係る画像表示システムは以下のように動作する。
【００９２】
ペンソフトが起動すると、電子黒板装置は、使用する印刷装置が２色プリントモードに設定されているか否かを検出する。２色プリントモードに設定されている場合、さらに、一部の色のトナーがトナー切れであるか否かを検出する（図８に示すステップＳ２０１０）。
【００９３】
フルカラー印刷が可能な印刷装置では、ＣＭＹＫ（Ｃ：シアン、Ｍ：マゼンタ、Ｙ：イエロー、Ｋ：ブラック）の４色のトナーを使用する。一部の色のトナーがトナー切れになると印刷可能な色が制限される。電子黒板装置は、印刷装置において、一部の色のトナーがトナー切れであることを検出（ステップＳ２０１０においてＹＥＳ）すると、タッチペン５００の色選択（選択可能な描画の色）を２色プリントモードで印刷可能な２色に制限する。具体的には、トナー切れによって印刷装置の２色プリントモードの色設定が変更（自動又は手動で変更）されると、電子黒板装置は、タッチペン５００の色選択（選択可能な描画の色）を２色プリントモードで印刷可能な２色に制限する。印刷可能な色の選択は、例えば、トナーの消費量を平準化するために、残りのトナーのうち、残量が多い方の色のトナーが選択される。特に、カラートナー３色のうち１色がトナー切れになっている場合、残りの２色の中から残量が多い方の色のトナーが選択される。画像データの画像を表示する場合は、画像がグレースケールで表示されるように、画像データの取込みをグレースケールに制限する（ステップＳ２０２０）。
【００９４】
印刷装置がトナー切れでない場合（ステップＳ２０１０においてＮＯ）、電子黒板装置はペンソフトの設定を２色プリントモードに適した設定に変更する（ステップＳ２０３０）。具体的には、タッチペン５００の色選択を、予め設定された黒色及び赤色の２色に制限する。画像データの画像を表示する場合は、画像がグレースケールで表示されるように、画像データの取込みをグレースケールに制限する。
【００９５】
なお、本実施の形態では、使用する印刷装置が２色プリントモード以外の印刷モード（モノクロモード又はフルカラーモード）に設定されている場合は、ペンソフトの設定は変更されず、通常の状態でペンソフトが動作する。電子黒板装置の表示内容を印刷するときの動作については、上記した第１の実施の形態と同様である。
【００９６】
［本実施の形態の効果］
以上の説明から明らかなように、本実施の形態に係る画像表示システムを利用することにより、以下に述べる効果を奏する。
【００９７】
印刷装置の一部の色のトナーがトナー切れである場合、電子黒板装置の描画像の色設定（タッチペン５００の色選択）が、残りのトナーで印刷できる設定に自動で変更される。そのため、トナー切れの都度、設定を変更する必要がないため、使い勝手が向上する。
【００９８】
（第３の実施の形態）
本実施の形態では、電子黒板装置に複数の印刷装置が接続されている。電子黒板装置は、使用する印刷装置が正常であるか否かを検出して、正常でない場合は、使用する印刷装置を他の印刷装置に変更する。すなわち、本実施の形態に係る画像表示システムは、電子黒板装置が印刷装置の異常を検知すると、当該電子黒板装置は使用する印刷装置の設定（印刷装置の選択）を他の印刷装置に変更する。
【００９９】
複数の印刷装置には予め優先順位が設定されており、優先順位が高い順に使用する印刷装置が切替えられる。なお、本実施の形態において、印刷装置が正常でない状態とは、印刷装置の電源がＯＦＦの場合、印刷装置がトナー切れの状態の場合、及び紙詰まり等でエラーが発生している場合等の印刷装置が印刷を実行できない状態をいう。
【０１００】
本実施の形態に係る画像表示システムを構成する電子黒板装置及び印刷装置は、上記第１の実施の形態における電子黒板装置２００及び印刷装置３００と同様のハードウェア構成を有する。そのため、電子黒板装置及び印刷装置のハードウェア構成についての説明は繰返さない。
【０１０１】
［ソフトウェア構成］
図９を参照して、本実施の形態において、ペンソフトで作成された画像を印刷装置で印刷するために、電子黒板装置で実行されるコンピュータプログラムの制御構造について説明する。なお、図９のステップＳ１０５０〜ステップＳ１０７０は上記した第１の実施の形態と同様の構造であるので、ここでは繰返さない。
【０１０２】
このプログラムは、ペンソフトの起動によって起動する。このプログラムは、使用する印刷装置の情報を取得するステップＳ３０００を含む。ステップＳ３０００では、印刷装置に問合せを行ない、印刷装置の状態に関する情報を取得する。本実施の形態では、印刷装置が正常に動作しているか否かの情報を取得する。具体的には、印刷装置の電源がＯＦＦ状態でないか、印刷装置がトナー切れでないか、印刷装置にエラーが発生していないかを検出する。
【０１０３】
このプログラムはさらに、ステップＳ３０００の後に実行され、使用する印刷装置が正常か否かを判定し、判定結果に応じて制御の流れを分岐させるステップＳ３０１０と、ステップＳ３０１０において、印刷装置が正常ではないと判定された場合に、使用する印刷装置を変更し、制御をステップＳ１０５０に進めるステップＳ３０２０とを含む。ステップＳ３０１０において、使用する印刷装置が正常であると判定された場合は、制御はステップＳ１０５０に進む。
【０１０４】
図１０は、図９のステップＳ３０２０の詳細なフローである。図１０を参照して、このルーチンは、使用する印刷装置を、現在設定されている印刷装置を除く印刷装置のなかで、予め設定されている優先順位が最も高い印刷装置に変更するステップＳ３１１０と、ステップＳ３１１０の後に実行され、変更された印刷装置が正常であるか否かを判定し、判定結果に応じて制御の流れを分岐させるステップＳ３１２０と、ステップＳ３１２０において、変更された印刷装置が正常ではないと判定された場合に、使用する印刷装置を、次に優先順位の高い印刷装置に変更するステップＳ３１３０と、ステップＳ３１３０の後に実行され、変更された印刷装置が正常であるか否かを判定し、判定結果に応じて制御の流れを分岐させるステップＳ３１４０とを含む。
【０１０５】
ステップＳ３１２０及びステップＳ３１４０において、変更された印刷装置が正常であると判定された場合は、このルーチンは終了する。ステップＳ３１４０において、変更された印刷装置が正常ではないと判定された場合は、制御はステップＳ３１３０に戻る。
【０１０６】
［動作］
図９を参照して、本実施の形態に係る画像表示システムは以下のように動作する。
【０１０７】
ペンソフトが起動すると、電子黒板装置は、使用する印刷装置が正常であるか否かを検出する（図１０に示すステップＳ３１２０）。印刷装置が正常ではない場合、使用する印刷装置を、接続（登録）されている複数の印刷装置から、予め設定されている優先順位の高い順に順次切替える。この処理は、正常な印刷装置が使用する印刷装置として設定されるまで繰返される。
【０１０８】
正常な印刷装置が使用する印刷装置として設定されると、その印刷装置を用いて印刷を行なうことが可能となる。
【０１０９】
［本実施の形態の効果］
以上の説明から明らかなように、本実施の形態に係る画像表示システムを利用することにより、以下に述べる効果を奏する。
【０１１０】
電子黒板装置は、印刷を実行する印刷装置の異常（例えばトナー切れ等）を検出すると、印刷を実行する印刷装置を他の印刷装置に自動で変更する。これにより、ユーザ自身が設定を変更することなく、正常な印刷装置を用いて印刷を実行できる。
【０１１１】
（第４の実施の形態）
本実施の形態では、電子黒板装置は、印刷装置のトナー切れを検出すると、自機の設定（ペンソフトの設定）を２色プリントモード又はモノクロモードに応じた設定に変更する。すなわち、一部の色のトナーがトナー切れになったことにより、印刷装置が２色印刷又はモノクロ印刷のみ実行可能となったことを電子黒板装置が検出し、自機の設定（ペンソフトの設定）を、２色印刷又はモノクロ印刷の動作モードに自動的に設定する。
【０１１２】
本実施の形態に係る画像表示システムを構成する電子黒板装置及び印刷装置は、上記第１の実施の形態における電子黒板装置２００及び印刷装置３００と同様のハードウェア構成を有する。そのため、電子黒板装置及び印刷装置のハードウェア構成についての説明は繰返さない。
【０１１３】
［ソフトウェア構成］
図１１を参照して、本実施の形態において、ペンソフトで作成された画像を印刷装置で印刷するために、電子黒板装置で実行されるコンピュータプログラムの制御構造について説明する。なお、図１１のステップＳ１０５０〜ステップＳ１０７０は上記した第１の実施の形態と同様の構造であるので、ここでは繰返さない。
【０１１４】
このプログラムは、ペンソフトの起動によって起動する。このプログラムは、使用する印刷装置の情報を取得するステップＳ４０００を含む。ステップＳ４０００では、印刷装置に問合せを行ない、印刷装置の状態に関する情報を取得する。本実施の形態では、印刷装置の設定情報を取得することにより、印刷装置が、２色プリントモード又はモノクロモードに設定されているか否かを検出する。さらに、印刷装置がトナー切れ（一部の色のトナーがトナー切れ）であるか否かを検出する。
【０１１５】
このプログラムはさらに、ステップＳ４０００の後に実行され、印刷装置において、一部の色のトナーがトナー切れであるか否かを判定し、判定結果に応じて制御の流れを分岐させるステップＳ４０１０と、ステップＳ４０１０において、一部の色のトナーがトナー切れであると判定された場合に、印刷装置が２色プリントモードに設定されているか否かを判定し、判定結果に応じて制御の流れを分岐させるステップＳ４０２０と、ステップＳ４０２０において、印刷装置が２色プリントモードに設定されていると判定された場合に、タッチペン５００の色選択（選択可能な描画の色）を印刷可能な２色に制限し、画像データの取込みをモノクロ（グレースケール）に制限するステップＳ４０３０と、ステップＳ４０２０において、印刷装置が２色プリントモードに設定されていない（モノクロモードに設定されている）と判定された場合に、タッチペン５００の色選択（選択可能な描画の色）を黒色に制限するとともに、画像データの取込みをモノクロ（グレースケール）に制限するステップＳ４０４０とを含む。
【０１１６】
ステップＳ４０３０及びステップＳ４０４０において、所定の処理が実行されると、制御はステップＳ１０５０に進む。ステップＳ４０１０において、印刷装置がトナー切れでないと判定された場合も、制御はステップＳ１０５０に進む。
【０１１７】
［動作］
図１１を参照して、本実施の形態に係る画像表示システムは以下のように動作する。
【０１１８】
ペンソフトが起動すると、電子黒板装置は、使用する印刷装置の情報を取得し（図１１に示すステップＳ４０００）、印刷装置において、一部の色のトナーがトナー切れであるか否かを検出する（ステップＳ４０１０）。印刷装置の一部の色のトナーがトナー切れの場合、印刷装置の印刷モードに応じて、ペンソフトの設定を２色印刷又はモノクロ印刷の動作モードに変更する。具体的には、トナー切れによって印刷装置の印刷モードが２色プリントモードに変更（自動又は手動で変更）されると、電子黒板装置は、タッチペン５００の色選択（選択可能な描画の色）を２色プリントモードで印刷可能な２色に制限する（ステップＳ４０３０）。一方、トナー切れによって印刷装置の印刷モードがモノクロモードに変更（自動又は手動で変更）されると、電子黒板装置は、タッチペン５００の色選択を黒色１色に制限する（ステップＳ４０４０）。画像データの画像を表示する場合は、グレースケールで表示されるように、画像データの取込みをグレースケールに制限する。
【０１１９】
具体的には、例えば、黒トナーが残った状態でカラートナー３色のうち１色がトナー切れになっている場合、残量が多い方の色のトナーを選択して２色プリントモードにする。黒トナーがトナー切れになった場合、カラートナーのうち残量の多い方から２色を選択して２色プリントモードにする。一方、カラートナー３色の全てがトナー切れになっている場合は、モノクロモードに変更する。
【０１２０】
印刷装置がトナー切れでない場合（ステップＳ４０１０においてＮＯ）、ペンソフトの設定は変更されず、通常の状態でペンソフトが動作する。
【０１２１】
［本実施の形態の効果］
以上の説明から明らかなように、本実施の形態に係る画像表示システムを利用することにより、以下に述べる効果を奏する。
【０１２２】
印刷装置の一部の色のトナーがトナー切れとなることによって、印刷装置が２色印刷又はモノクロ印刷のみ実行可能となった場合に、画像を表示する色の設定及び画像の印刷設定が２色印刷又はモノクロ印刷に対応した設定に自動で変更される。ユーザ自身が電子黒板装置の設定を変更する必要がないため、設定変更が容易である。加えて、トナー切れの色で印刷されることによって、画像の一部がかすれたり、画像の一部が印刷されなかったりすることを防止できる。
【０１２３】
接続される印刷装置の状態に応じて、画像データが示す画像の色設定を変更することにより、印刷時に、画像データが示す画像の一部がかすれたり、画像の一部が印刷されなかったりすることを効果的に防止できる。
【０１２４】
（第５の実施の形態）
本実施の形態では、上記第１の実施の形態において、使用する印刷装置が正常であるか否かを検出し、使用する印刷装置が正常でない場合に、ペンソフトの印刷ボタンの表示をグレーアウトに変更する。すなわち、使用する印刷装置が正常でない場合は、ペンソフトの印刷ボタンの操作ができないように設定され、そのことを示すように、印刷ボタンが薄いグレーで表示される。なお、本実施の形態において、印刷装置が正常でない状態とは、印刷装置の電源がＯＦＦの場合、印刷装置がトナー切れの状態の場合、及び紙詰まり等でエラーが発生している場合等の印刷装置が印刷を実行できない状態をいう。
【０１２５】
本実施の形態に係る画像表示システムを構成する電子黒板装置及び印刷装置は、上記第１の実施の形態における電子黒板装置２００及び印刷装置３００と同様のハードウェア構成を有する。そのため、電子黒板装置及び印刷装置のハードウェア構成についての説明は繰返さない。
【０１２６】
［ソフトウェア構成］
図１２を参照して、本実施の形態に係る画像表示システム（電子黒板装置）において、ステップＳ５０００、ステップＳ５０１０及びステップＳ５０２０における処理を除く各処理は、図７に示すコンピュータプログラムによって実行される各処理と同様である。
なお、本実施の形態では、図７のステップＳ１０００に代えて、ステップＳ５０００を含む。以下、異なる部分について説明する。
【０１２７】
このプログラムは、ペンソフトの起動によって起動する。このプログラムは、使用する印刷装置の情報を取得するステップＳ５０００を含む。ステップＳ５０００では、印刷装置に問合せを行ない、印刷装置の状態に関する情報を取得する。本実施の形態では、印刷装置が、モードフルカラーモード、モノクロモード及び２色プリントモードのいずれのモードに設定されているかを検出することに加えて、印刷装置が正常であるか否かも検出する。
【０１２８】
このプログラムはさらに、ステップＳ５０００の後に実行され、使用する印刷装置が正常か否かを判定し、判定結果に応じて制御の流れを分岐させるステップＳ５０１０と、ステップＳ５０１０において、印刷装置が正常ではないと判定された場合に、ペンソフトの印刷ボタンの表示をグレーアウトに変更するステップＳ５０２０とを含む。
【０１２９】
ステップＳ５０１０において、印刷装置が正常であると判定された場合は、制御はステップＳ１０１０に進む。ステップＳ５０２０において、所定の処理が実行されると、制御はステップＳ１０５０に進む。
【０１３０】
［動作］
図１２を参照して、本実施の形態に係る画像表示システムは以下のように動作する。なお、ペンソフトの印刷ボタンをグレーアウトに変更する動作を除いた動作は、上記第１の実施の形態と同様である。したがって、同様の動作についての詳細な説明は繰返さない。
【０１３１】
ペンソフトが起動すると、電子黒板装置は、使用する印刷装置が正常であるか否かを検出する（図１２に示すステップＳ５０１０）。印刷装置が正常ではない場合、ペンソフトの印刷ボタンの表示をグレーアウトに変更する（ステップＳ５０２０）。これにより、印刷ボタンが操作できなくなる。
【０１３２】
［本実施の形態の効果］
以上の説明から明らかなように、本実施の形態に係る画像表示システムを利用することにより、以下に述べる効果を奏する。
【０１３３】
電源ＯＦＦ状態になっている等、印刷装置が印刷できない状態の場合には、電子黒板装置はそのことを検知して、印刷ボタンの表示をグレーアウトに変更する。これにより、印刷装置が使用できないことをユーザに知らせることができる。
【０１３４】
（第６の実施の形態）
本実施の形態では、上記第５の実施の形態において、さらに印刷装置が用紙切れであるか否かを検出し、印刷装置が用紙切れである場合に、特定の記録用紙を使用できないようにペンソフトの設定を変更する。
【０１３５】
本実施の形態に係る画像表示システムを構成する電子黒板装置及び印刷装置は、上記第１の実施の形態における電子黒板装置２００及び印刷装置３００と同様のハードウェア構成を有する。そのため、電子黒板装置及び印刷装置のハードウェア構成についての説明は繰返さない。
【０１３６】
［ソフトウェア構成］
図１３及び図１４を参照して、本実施の形態に係る画像表示システム（電子黒板装置）において、ステップＳ６０００〜ステップＳ６０３０における処理を除く各処理は、図１２に示すコンピュータプログラムによって実行される各処理と同様である。なお、本実施の形態では、図１２のステップＳ５０００に代えて、ステップＳ６０００を含む。以下、異なる部分について説明する。
【０１３７】
このプログラムは、ペンソフトの起動によって起動する。このプログラムは、使用する印刷装置の情報を取得するステップＳ６０００を含む。ステップＳ６０００では、印刷装置に問合せを行ない、印刷装置の状態に関する情報を取得する。本実施の形態では、印刷装置が、モードフルカラーモード、モノクロモード及び２色プリントモードのいずれのモードに設定されているか、印刷装置が正常であるか否かを検出することに加えて、印刷装置の記録用紙が用紙切れであるか否かも検出する。
【０１３８】
このプログラムはさらに、ステップＳ５０１０において、使用する印刷装置が正常であると判定された場合に、印刷装置に用紙切れの記録用紙があるか否かを判定し、判定結果に応じて制御の流れを分岐させるステップＳ６０１０と、ステップＳ６０１０において、印刷装置に用紙切れの記録用紙があると判定された場合に、ペンソフトの用紙サイズの設定が用紙切れの記録用紙と同じサイズであるか否かを判定し、判定結果に応じて制御の流れを分岐させるステップＳ６０２０と、ステップＳ６０２０において、ペンソフトの用紙サイズの設定が用紙切れの記録用紙と同じサイズである場合に、ペンソフトの用紙設定（用紙サイズの設定）を変更するステップＳ６０３０とを含む。
【０１３９】
ステップＳ６０１０において、印刷装置に用紙切れの記録用紙がないと判定された場合、及び、ステップＳ６０２０において、ペンソフトの用紙サイズの設定が用紙切れの記録用紙と同じサイズではない場合、並びに、ステップＳ６０３０において、所定の処理が実行された場合、制御はステップＳ１０１０に進む。
【０１４０】
ステップＳ６０１０において、印刷装置に用紙切れの記録用紙があると判定された場合は、ペンソフトにおいて、用紙切れの記録用紙（用紙サイズ）の使用（選択）が制限される。
【０１４１】
［動作］
図１３を参照して、本実施の形態に係る画像表示システムは以下のように動作する。なお、ペンソフトの用紙設定を変更する動作を除いた動作は、上記第５の実施の形態と同様である。したがって、同様の動作についての詳細な説明は繰返さない。
【０１４２】
ペンソフトが起動すると、電子黒板装置は、使用する印刷装置が正常であるか否かを検出する（図１３に示すステップＳ５０１０）。印刷装置が正常である場合、印刷装置に用紙切れの記録用紙があるか否かを検出する（ステップＳ６０１０）。用紙切れの記録用紙がある場合（ステップＳ６０１０においてＹＥＳ）、ペンソフトの用紙サイズの設定が用紙切れの記録用紙と同じサイズであるか否かを判定する。同じサイズに設定されている場合は、用紙サイズの設定を変更する（ステップＳ６０３０）。
【０１４３】
印刷装置に用紙切れの記録用紙がある場合、用紙切れの記録用紙と同じサイズの記録用紙を選択できないように、ペンソフトの設定が変更される。
【０１４４】
［本実施の形態の効果］
以上の説明から明らかなように、本実施の形態に係る画像表示システムを利用することにより、以下に述べる効果を奏する。
【０１４５】
使用する印刷装置に用紙切れの記録用紙がある場合には、電子黒板装置はそのことを検知して、ペンソフトの印刷用紙の設定を、用紙切れの記録用紙と同じサイズを選択できないように変更する。これにより、用紙切れの記録用紙が使用できないことをユーザに知らせることができる。
【０１４６】
用紙切れの記録用紙がある場合に、用紙サイズの設定を変更することにより、設定変更の手間を省くことができる。
【０１４７】
（第７の実施の形態）
本実施の形態に係る画像形成システムは、電子黒板装置に複数の印刷装置が接続されている。電子黒板装置は、複数の印刷装置のうちの１つを、使用する印刷装置として選択（設定）できる。印刷装置の選択は電子黒板装置の使用中においても可能である。電子黒板装置の使用中に印刷装置の選択が変更されると、電子黒板装置は、変更により選択された印刷装置の状態（本実施の形態ではプリントモード）を検出する。検出したプリントモードに応じて、電子黒板装置の表示画面に表示されている画像の色を変更する。例えば、電子黒板装置の表示画面に赤色以外の色の描画像が表示されている場合に、変更により選択された印刷装置のプリントモードが例えば２色プリントモードに設定されていると、電子黒板装置は、表示画面に表示されている描画像の色を、当該２色プリントモードに対応した色に変更する。例えば、表示画面に表示されている画像の色を黒以外の色（例えば赤色）に変更する。
【０１４８】
本実施の形態に係る画像表示システムを構成する電子黒板装置及び印刷装置は、上記第１の実施の形態における電子黒板装置２００及び印刷装置３００と同様のハードウェア構成を有する。そのため、電子黒板装置及び印刷装置のハードウェア構成についての説明は繰返さない。
【０１４９】
［ソフトウェア構成］
図１５及び図１６を参照して、本実施の形態に係る画像表示システム（電子黒板装置）において、ステップＳ７０００〜ステップＳ７０７０における処理を除く各処理は、図７に示すコンピュータプログラムによって実行される各処理と同様である。以下、異なる部分について説明する。
【０１５０】
このプログラムは、ペンソフトの起動によって起動する。このプログラムは、使用する印刷装置の選択が変更されたか否かを判定し、判定結果に応じて制御の流れを分岐させるステップＳ７０００を含む。ステップＳ７０００において、使用する印刷装置の選択が変更されていないと判定された場合は、制御はステップＳ１０７０に進む。
【０１５１】
このプログラムはさらに、ステップＳ７０００において、使用する印刷装置の選択が変更されたと判定された場合に、使用する印刷装置の情報を取得するステップＳ７０１０と、ステップＳ７０１０の後に実行され、印刷装置が２色プリントモードに設定されているか否かを判定し、判定結果に応じて制御の流れを分岐させるステップＳ７０２０と、ステップＳ７０２０において、印刷装置が２色プリントモードに設定されていると判定された場合に、表示画面にすでに表示されている画像及びペンで書込済みの画像等の表示画像の色情報を当該２色プリントモードに対応した色（例えば赤色（黒以外の色））に変更するステップＳ７０３０と、ステップＳ７０２０において、印刷装置が２色プリントモードに設定されていないと判定された場合に、印刷装置がモノクロモードに設定されているか否かを判定し、判定結果に応じて制御の流れを分岐させるステップＳ７０４０と、ステップＳ７０４０において、印刷装置がモノクロモードに設定されていると判定された場合に、表示画面にすでに表示されている画像及びペンで書込済みの画像等の表示画像の色情報を黒色に変更するステップＳ７０５０とを含む。
【０１５２】
このプログラムはさらに、ステップＳ７０３０及びステップＳ７０５０の後に実行され、新たに設定された色で表示画面上に画像を再表示するステップＳ７０６０と、ステップＳ７０６０の後、及び、ステップＳ７０４０において、印刷装置がモノクロモードに設定されていないと判定された場合に実行され、表示画面に表示されている画像の印刷指示に基づいて、その画像の画像データを印刷装置に送信し、制御をステップＳ１０００に戻すステップＳ７０７０とを含む。
【０１５３】
［動作］
図１５及び図１６を参照して、本実施の形態に係る画像表示システムは以下のように動作する。印刷装置の選択を変更した後の動作を除く動作は、上記第１の実施の形態と同様である。したがって、同様の動作についての詳細な説明は繰返さない。
【０１５４】
印刷の指示がされた（図１５に示すステップＳ１０６０においてＹＥＳ）後に、ユーザによる印刷装置の変更の操作を受付けると、電子黒板装置は、変更先の印刷装置の情報を取得する（図１６に示すステップＳ７０１０）。電子黒板装置は、印刷装置が設定されているプリントモードに応じて、すでに表示されている画像及びペン書き画像の色情報をプリントモードに対応した色情報に変更して画像を再表示する（ステップＳ７０６０）。そして、再表示された画像の画像データを印刷装置に送信する（ステップＳ７０７０）。印刷装置は、電子黒板装置から送信された画像データを受信すると、受信した画像データに基づいて印刷処理を実行する。
【０１５５】
［本実施の形態の効果］
以上の説明から明らかなように、本実施の形態に係る画像表示システムを利用することにより、以下に述べる効果を奏する。
【０１５６】
電子黒板装置の使用後に印刷装置を変更した場合、変更により選択した印刷装置のプリントモードに応じて電子黒板装置の設定を変更し、表示画面に表示されている画像の表示色を変更する。これにより、変更により選択された印刷装置のプリントモードを電子黒板装置の表示に適切に反映できる。
【０１５７】
（第８の実施の形態）
本実施の形態では、電子黒板装置は、印刷装置の状態に関する情報として、印刷装置に収容されている用紙の用紙サイズに関する情報を取得する。取得した情報に基づいて、例えば、印刷装置がＡ０サイズの用紙に対応したプリンタであることを検出すると、表示画面に表示する画像をＡ０サイズの大きさで原寸表示する。より具体的には、例えば、ＣＡＤ（Ｃｏｍｐｕｔｅｒ  Ａｉｄｅｄ  Ｄｅｓｉｇｎ）データ等の画像データをアプリケーションソフトから取得した場合に、ＣＡＤデータが示すＣＡＤ図面の大きさがＡ０サイズであるとする。そうした場合に、印刷装置がＡ０サイズの用紙に対応したプリンタであると、電子黒板装置はＣＡＤ図面をＡ０サイズで原寸表示する。
【０１５８】
本実施の形態に係る画像表示システムを構成する電子黒板装置及び印刷装置は、上記第１の実施の形態における電子黒板装置２００及び印刷装置３００と同様のハードウェア構成を有する。そのため、電子黒板装置及び印刷装置のハードウェア構成についての説明は繰返さない。
【０１５９】
［ソフトウェア構成］
図１７を参照して、本実施の形態に係る電子黒板装置で実行されるコンピュータプログラムの制御構造について説明する。このプログラムは、ペンソフト等のアプリケーションソフトの起動によって起動する。
【０１６０】
このプログラムは、画像データ（例えばＣＡＤデータ等）が示す用紙サイズをアプリケーションソフト（例えばＣＡＤアプリケーション）から取得するステップＳ８０００と、ステップＳ８０００の後に実行され、使用する印刷装置の用紙サイズの情報を取得するステップＳ８０１０と、ステップＳ８０１０の後に実行され、画像データが示す用紙サイズと印刷装置の用紙サイズとが一致するか否かを判定し、判定結果に応じて制御の流れを分岐させるステップＳ８０２０とを含む。
【０１６１】
このプログラムはさらに、ステップＳ８０２０において、画像データが示す用紙サイズと印刷装置の用紙サイズとが一致すると判定された場合に、表示画面での表示倍率を当該用紙サイズに原寸表示し、「原寸印刷可能」を示すメッセージを表示画面に表示するステップＳ８０３０と、ステップＳ８０２０において、画像データが示す用紙サイズと印刷装置の用紙サイズとが一致しないと判定された場合に、アプリケーションに設定されたデフォルト倍率で表示画面に画像を表示し、「原寸印刷可能」を示すメッセージを表示画面に表示するステップＳ８０４０と、ステップＳ８０３０及びステップＳ８０４０の後に実行され、終了操作がされたか否かを判定し、判定結果に応じて制御の流れを分岐させるステップＳ８０５０とを含む。ステップＳ８０５０において、終了操作がされていないと判定された場合は、制御はステップＳ８０００に戻り、終了操作がされたと判定された場合は、このプログラムは終了する。
【０１６２】
［動作］
図１５及び図１６を参照して、本実施の形態に係る画像表示システムは以下のように動作する。
【０１６３】
電子黒板装置は、ＣＡＤデータ等の画像データをアプリケーションソフトから取得して、画像データに対して設定されている用紙サイズのデータを取得する（図１７に示すステップＳ８０００）。電子黒板装置は、画像データを表示画面に表示する前に、印刷装置から、当該印刷用紙に収容されている用紙の用紙サイズに関する情報を取得する。収容されている用紙が１種類であれば、当該用紙サイズと画像データの用紙サイズが一致するか否かを判定する（ステップＳ８０２０）。一方、収容されている用紙サイズが複数あれば、その中で一致する用紙のサイズがあるか否かを判定する（ステップＳ８０２０）。
【０１６４】
印刷装置に収容されている用紙の用紙サイズと画像データの用紙サイズとが一致すれば（ステップＳ８０２０においてＹＥＳ）、一致する用紙のサイズで画像データが示す画像を原寸表示する。このとき、電子黒板装置は、表示されている画像が原寸表示であり、かつ、原寸で印刷可能であることを示すメッセージを表示画面に表示する。
【０１６５】
印刷装置に収容されている用紙の用紙サイズと画像データの用紙サイズとが一致しない場合（ステップＳ８０２０においてＮＯ）、すなわち、印刷装置に画像データの用紙サイズと一致する用紙サイズの用紙が収容されていない場合は、アプリケーションソフトにデフォルト設定されている表示倍率（例えば全画面表示の倍率）で画像データが示す画像を表示画面に表示する。このとき、電子黒板装置は、原寸で印刷不可であることを示すメッセージを表示画面に表示する。
【０１６６】
これにより、印刷装置で印刷可能な用紙の用紙サイズを、表示する画像の表示倍率に反映できる。例えば、画像を原寸表示することができる。画像を原寸表示することにより、表示されたとおりのサイズで印刷物を得ることもできる。ユーザは表示画面で見た通りに画像を印刷できるか否かが容易に判別できる。
【０１６７】
（第９の実施の形態）
本実施の形態では、印刷装置において、背景及び地紋等の画像合成及び集約印刷（Ｎ−Ｕｐ合成）等の処理を行なう設定がされている場合、電子黒板装置は印刷装置のそうした設定情報を取得し、取得した情報に基づいて表示画面に表示する画像の表示形態を変更する。
【０１６８】
本実施の形態に係る画像表示システムを構成する電子黒板装置及び印刷装置は、上記第１の実施の形態における電子黒板装置２００及び印刷装置３００と同様のハードウェア構成を有する。そのため、電子黒板装置及び印刷装置のハードウェア構成についての説明は繰返さない。
【０１６９】
［ソフトウェア構成］
図１８を参照して、本実施の形態に係る電子黒板装置で実行されるコンピュータプログラムの制御構造について説明する。このプログラムは、ペンソフト等のアプリケーションソフトの起動によって起動する。
【０１７０】
このプログラムは、使用する印刷装置の情報を取得するステップＳ９０００を含む。ステップＳ９０００では、印刷装置に設定されている、例えば、背景及び地紋等の画像合成、集約印刷等の処理が設定されているか否かの設定情報を取得する。
【０１７１】
このプログラムはさらに、ステップＳ９０００の後に実行され、画像合成の設定がされているか否かを判定し、判定結果に応じて制御の流れを分岐させるステップＳ９０１０と、ステップＳ９０１０において、画像合成の設定がされていると判定された場合に、印刷装置に格納されている合成用画像を取得するステップＳ９０２０と、ステップＳ９０２０の後に実行され、表示画面に表示する画像を合成用画像と合成し、当該合成した画像を表示画面に表示するステップＳ９０３０と、ステップＳ９０１０において、画像合成の設定がされていないと判定された場合に、Ｎ−Ｕｐ印刷の設定がされているか否かを判定し、判定結果に応じて制御の流れを分岐させるステップＳ９０４０とを含む。
【０１７２】
このプログラムはさらに、ステップＳ９０４０において、Ｎ−Ｕｐ印刷の設定がされていると判定された場合に、画像データが示す画像において、Ｎ枚のページを表示画面上に表示するステップＳ９０５０と、ステップＳ９０４０において、Ｎ−Ｕｐ印刷の設定がされていないと判定された場合に、画像データが示す画像を表示画面上に表示するステップＳ９０６０と、ステップＳ９０３０、ステップＳ９０５０及びステップＳ９０６０の後に実行され、終了操作がされたか否かを判定し、判定結果に応じて制御の流れを分岐させるステップＳ９０７０とを含む。ステップＳ９０７０において、終了操作がされていないと判定された場合は、制御はステップＳ９０００に戻り、終了操作がされたと判定された場合は、このプログラムは終了する。
【０１７３】
［動作］
図１５及び図１６を参照して、本実施の形態に係る画像表示システムは以下のように動作する。
【０１７４】
電子黒板装置は、使用する印刷装置に対して、画像合成、Ｎ−Ｕｐ印刷等の設定情報を取得し（図１８に示すステップＳ９０００）、取得した情報に基づいて、印刷装置が画像合成及びＮ−Ｕｐ印刷等の処理を行なう設定になっているか否かを判定する（ステップＳ９０１０及びステップＳ９０４０）。印刷装置において、画像合成、Ｎ−Ｕｐ印刷等の設定がされていると、電子黒板装置は、当該設定に応じて、画像データの表示画面上での表示形態を変更して、画像合成状態又はＮ−Ｕｐ状態で表示する（ステップＳ９０３０及びステップＳ９０５０）。
【０１７５】
これにより、印刷装置の状態を反映した画像の表示を行なうことができるので、例えば、印刷イメージと一致した画像の表示を行なうことができる。ユーザは表示画面で見た通りに画像の印刷物を得ることができる。
【０１７６】
［変形例］
上記実施の形態では、印刷装置の状態に応じて、電子黒板装置のペンソフトの設定を変更する例について示したが、本発明はそのような実施の形態には限定されない。電子黒板装置の他のアプリケーションソフトにおいても、印刷装置の状態に応じて設定を変更するようにすることもできる。
【０１７７】
上記実施の形態では、フルカラー印刷が可能な印刷装置を用いた例を示したが、本発明はそのような実施の形態には限定されない。電子黒板装置と接続される印刷装置は、例えばモノクロ印刷機であってもよい。なお、印刷装置は、電子写真方式の印刷装置であってもよいし、電子写真方式以外の他の形式の印刷機能を備えた印刷装置であってもよい。
【０１７８】
上記実施の形態では、電子黒板装置について説明したが、これに限定されず、本発明は、タブレット型の端末装置等、タッチによって描画及び画面操作を行なうことができる表示装置全般に適用できる。これら以外にも、例えば、パーソナルコンピュータにも本発明を適用できる。この場合、例えば、ワープロソフトで選択可能なフォント色の設定を印刷装置の状態に応じて変更する、若しくは、図形ソフトで選択可能なオブジェクト色の設定を印刷装置の状態に応じて変更する構成とすることができる。
【０１７９】
上記実施の形態では、電子黒板装置と印刷装置とをネットワークを介して接続した例について示したが、本発明はそのような実施の形態には限定されない。電子黒板装置と印刷装置とはネットワークを介さずに接続されていてもよい。また、印刷装置は、電子黒板装置に内蔵される構成、又は、電子黒板装置に取付けられる構成であってもよい。
【０１８０】
上記実施の形態において、電子黒板装置に表示する画像データは、ネットワークを介して受信するように構成されていてもよい。また、ネットワークを介さずに受信するように構成されていてもよい。例えば、ＵＳＢ（Ｕｎｉｖｅｒｓａｌ  Ｓｅｒｉａｌ  Ｂｕｓ）メモリ等の外部メモリから画像データを直接受信するように構成されていてもよい。
【０１８１】
また上記実施の形態において、「タッチ」とは、ペン又はユーザがタッチパネル等の入力装置の入力面に接触することは必ずしも意味しない。ペン又はユーザが何らかの形で入力面の位置を指定することを意味する。すなわち、入力検出装置が接触型であれば、ペン又はユーザが入力面に接触した位置を検知するが、入力検出装置が非接触型の場合には、ペン又はユーザの指等が、入力位置を検出可能な距離まで検出装置に近接した状態となった場合も、ユーザが入力装置に「タッチ」した、と呼ぶ。レーザ等によりポイントする装置を用いる場合には、表示面上の所定位置にレーザを照射したことを「タッチ」と呼ぶ。
【０１８２】
上記第１の実施の形態では、印刷装置がフルカラーモード、モノクロモード及び２色プリントモードのいずれの印刷モードに設定されているかを電子黒板装置が検知する例について示したが、本発明はそのような実施の形態には限定されない。電子黒板装置は、例えば、印刷装置が２色プリントモードに設定されているか否かを検知するように構成されていてもよい。
【０１８３】
上記第３の実施の形態では、複数の印刷装置に予め優先順位を設定し、使用する印刷装置が正常な状態でない場合に、優先順位が高い順に使用する印刷装置を切替える例について示したが、本発明はそのような実施の形態には限定されない。例えば、電子黒板装置が複数の印刷装置の中からランダムに印刷装置を抽出し、抽出した印刷装置を使用する印刷装置として設定するように構成してもよい。
【０１８４】
上記第７の実施の形態では、印刷装置の変更に伴い、変更によって選択された印刷装置のプリントモードに応じて、電子黒板装置の表示画面に表示する画像の表示色を変更した例について示したが、本発明はそのような実施の形態には限定されない。例えば、変更によって選択された印刷装置のプリントモード以外の状態を検出し、検出結果に応じて、電子黒板装置の設定及び表示等を変更するようにしてもよい。具体的には、例えば、変更によって選択された印刷装置に画像合成、Ｎ−Ｕｐ印刷等の設定がされている場合に、画像の表示形態を変更して、画像合成状態又はＮ−Ｕｐ状態で表示するようにしてもよい。
【０１８５】
なお、上記で開示された技術を適宜組合せて得られる実施形態についても、本発明の技術的範囲に含まれる。
【０１８６】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【０１８７】
１００                              画像表示システム
２００                              電子黒板装置
２１０                              タッチパネルディスプレイ
２２０                              表示出力装置
２２２                              表示部
２３０                              入力検知装置
２３２                              接触感知部
２３４                              マイクロコンピュータ
２３４ｂ                            外部出力部
２５０                              制御装置
２５２、２３４ａ、３１０            ＣＰＵ
２５４、３２０                      ＲＯＭ
２５６、３３０                      ＲＡＭ
２５８、３４０                      記録部
２６０、３５０                      入力処理部
２６２                              表示制御部
２６４                              ビデオＲＡＭ
２６６、３８０                      ネットワーク装置
３００                              印刷装置
３６０                              印刷制御部
３７０                              印刷部
【図１】
0005955614.tif 000002
【図２】
0005955614.tif 000003
【図３】
0005955614.tif 000004
【図４】
0005955614.tif 000005
【図５】
0005955614.tif 000006
【図６】
0005955614.tif 000007
【図７】
0005955614.tif 000008
【図８】
0005955614.tif 000009
【図９】
0005955614.tif 000010
【図１０】
0005955614.tif 000011
【図１１】
0005955614.tif 000012
【図１２】
0005955614.tif 000013
【図１３】
0005955614.tif 000014
【図１４】
0005955614.tif 000015
【図１５】
0005955614.tif 000016
【図１６】
0005955614.tif 000017
【図１７】
0005955614.tif 000018
【図１８】
0005955614.tif 000019